(57)【特許請求の範囲】
【請求項１】
コンセントに設けた電源電圧極と電源接地極との差込口にそれぞれ挿入可能な２本の差込刃を備えるプラグ部と、コンセントに設けた接地端子に電気的に接続可能な接地線接続部と、人体の一部を接触可能に設けたタッチ電極と、タッチ電極に人体が接触したときに電源電圧極に対応する差込刃がコンセントの電源電圧極に接続されているとこれを表示する極性表示部と、接地線接続部が接地されているとこれを表示する接地表示部と、電源電圧極に対応する差込刃と接地線接続部との間に接続されるインピーダンス要素とスイッチ要素との直列回路を有し操作部の操作によりスイッチ要素のオンオフが可能な疑似漏電回路とを器体に備え、操作部は機械接点を有したスイッチを操作する操作部であって、疑似漏電回路は、スイッチがオンになるとスイッチ要素を規定した導通時間だけオンにするとともにスイッチのオフから次のオンまでの時間間隔が規定した休止時間よりも短いときには導通時間を短縮するワンショット回路を備えることを特徴とするコンセントチェッカ。
【請求項２】
前記スイッチ要素がオフになる側に前記操作部を付勢する復帰ばねを設けたことを特徴とする請求項１記載のコンセントチェッカ。
【請求項３】
前記両差込刃と前記極性表示部および前記接地表示部との間にヒューズが設けられていることを特徴とする請求項１または請求項２記載のコンセントチェッカ。
【請求項４】
電源電圧極に対応する前記差込刃と接地線接続部との間に挿入された検出用インピーダンス要素と、電源電圧極に対応する差込刃がコンセントの電源電圧極に接続されている状態で前記検出用インピーダンス要素の両端電圧に基づいて接地線接続部と大地との間のインピーダンスが５００Ω以下であることを検出すると前記接地表示部による表示を行う判定回路とを備えることを特徴とする請求項１ないし請求項３記載のコンセントチェッカ。
【請求項５】
前記検出用インピーダンス要素は、複数個の抵抗の直列回路であって、前記判定回路はいずれか２個の抵抗の接続点の電位を基準電圧と比較するように構成されていることを特徴とする請求項４記載のコンセントチェッカ。
【発明の詳細な説明】
【０００１】
【発明の属する技術分野】
本発明は、コンセントに接続することにより配線系の異常の有無を検査するコンセントチェッカに関するものである。
【０００２】
【従来の技術】
一般に、建物の電気工事が終了した後にはコンセントの極性の検査や漏電遮断器の動作テストを行う必要がある。コンセントの極性の検査は、コンセントの差込口に検電器（通常はドライバにネオン管を内蔵した形に形成されている）のプローブを差し込み、ネオン管の点灯の有無によって極性を判断するのが一般的である。また、漏電遮断器の動作テストは、漏電遮断器に設けたテスト釦を押操作することによって行われている。
【０００３】
【発明が解決しようとする課題】
上述のように、コンセントの極性の検査と漏電遮断器の動作テストとは各別の装置を用いて行うことになり検査作業が面倒である。しかも、漏電遮断器の動作テストは漏電遮断器を配置している場所で行う必要があり、コンセントの極性の検査と同じ場所で行うことができず、作業場所を移動しなければならないから検査作業が煩わしいという問題がある。
【０００４】
本発明は上記事由に鑑みて為されたものであり、その目的は、コンセントの極性の検査と漏電遮断器の動作テストとを同じ場所で同じ装置を用いて行うことができるようにし、電気工事後の検査作業の作業性を改善することができるコンセントチェッカを提供することにある。
【０００５】
【課題を解決するための手段】
請求項１の発明は、コンセントに設けた電源電圧極と電源接地極との差込口にそれぞれ挿入可能な２本の差込刃を備えるプラグ部と、コンセントに設けた接地端子に電気的に接続可能な接地線接続部と、人体の一部を接触可能に設けたタッチ電極と、タッチ電極に人体が接触したときに電源電圧極に対応する差込刃がコンセントの電源電圧極に接続されているとこれを表示する極性表示部と、接地線接続部が接地されているとこれを表示する接地表示部と、電源電圧極に対応する差込刃と接地線接続部との間に接続されるインピーダンス要素とスイッチ要素との直列回路を有し操作部の操作によりスイッチ要素のオンオフが可能な疑似漏電回路とを器体に備え、操作部は機械接点を有したスイッチを操作する操作部であって、疑似漏電回路は、スイッチがオンになるとスイッチ要素を規定した導通時間だけオンにするとともにスイッチのオフから次のオンまでの時間間隔が規定した休止時間よりも短いときには導通時間を短縮するワンショット回路を備えるものである。この構成によれば、コンセントの差込口にプラグ部の差込刃を差し込むとともにタッチ電極に触れると、コンセントが配線系に正しく接続されているときには極性表示部により表示されるから、コンセントの差込口と配線系との極性が正しく接続されているか否かを知ることができる。また、接地端子に電気的に接続される接地線接続部を備えるとともに、接地線接続部が接地されているときには接地表示部により表示されるから、接地端子が確実に接地されているか否かを知ることができる。さらに、疑似漏電回路を設けてあり、操作部を操作するとスイッチ要素がオンになって電源電圧極と接地線接続部との間がインピーダンス要素を介して接続されるから、配線系に擬似的に漏電を発生させることができ、漏電遮断器の動作テストが可能になる。要するに、１つの装置を用いてコンセントの差込口の極性の検査および接地端子が確実に接地されているか否かの検査が行えるとともに漏電遮断器の動作テストも可能になるのであって、同じ場所で３種類の検査が可能になり電気工事後の検査作業の作業性が向上する。さらに、操作部を操作し続けても規定の導通時間だけスイッチ要素がオンになるから、擬似的な漏電状態が継続することによる内部回路（とくに電源電圧極の差込刃と接地線接続部との間の回路）の過熱を防止することができる。しかも、操作部を操作する時間間隔が短かくなると導通時間も短くなるから、このことによっても内部回路の過熱を防止することができる。
【０００６】
請求項２の発明は、請求項１の発明において、前記スイッチ要素がオフになる側に前記操作部を付勢する復帰ばねを設けたものである。この構成によれば、操作部を操作しなければスイッチ要素はオフに保たれるから、スイッチ要素がオンのままでプラグ部をコンセントに差し込む可能性が少なくなり、プラグ部をコンセントに差し込み接地線接続部に触
れたとしても、スイッチ要素はオフであるから感電する可能性が少ない。
【０００７】
請求項３の発明は、請求項１または請求項２の発明において、前記両差込刃と前記極性表示部および前記接地表示部との間にヒューズが設けられているものである。この構成によれば、ヒューズが設けられていることによって内部回路が保護されるのはもちろんのこと、ヒューズが溶断しているときにはプラグ部の差込刃の極性を入れ替えてタッチ電極に触れても極性表示部による表示が行われないからヒューズの溶断を知ることができる。つまり、接地線接続部に対応してヒューズを設けたとすると、ヒューズが溶断したときに操作部を操作しても疑似的に漏電を発生させることができず漏電遮断器が動作しないから、漏電遮断器の故障と誤認することになるのであるが、プラグ部に対応してヒューズを設けていることによりヒューズの断線を知ることができるから、この種の誤認が低減する。 
【０００８】
請求項４の発明は、請求項１ないし請求項３の発明において、電源電圧極に対応する前記差込刃と接地線接続部との間に挿入された検出用インピーダンス要素と、電源電圧極に対応する差込刃がコンセントの電源電圧極に接続されている状態で前記検出用インピーダンス要素の両端電圧に基づいて接地線接続部と大地との間のインピーダンスが５００Ω以下であることを検出すると前記接地表示部による表示を行う判定回路とを備えるものである。この構成によれば、コンセントの接地端子が接地されていないときには接地表示部による表示が行われず、接地端子が確実に接地されているか否かを知ることができる。ここに５００Ωという値は、電気設備技術基準や内線規定で漏電遮断器を取り付けた場合として規定されている第３種接地抵抗の値である。
【０００９】
請求項５の発明は、請求項４の発明において、前記検出用インピーダンス要素が、複数個の抵抗の直列回路であって、前記判定回路がいずれか２個の抵抗の接続点の電位を基準電圧と比較するように構成されているものである。この構成によれば、検出用インピーダンス要素を構成する抵抗のうちのいずれかが短絡したとしても、電源電圧極に対応する差込刃と接地線接続部との間には残りの抵抗が挿入されているから、電源電圧極に対応する差込刃と接地線接続部との間を通過する電流が過大になることがなく、安全性を確保することができる。
【００１０】
【発明の実施の形態】
本実施形態に示すコンセントチェッカは、図６、図７に示すように、手で握ることができる程度の細長直方体状の器体１を有し、器体１には長手方向の一端面から突出可能な差込刃２１，２２，３１を備えるプラグ部２，３が設けられている。ここに、差込刃２１はコンセント４の電源電圧極の差込口４１に差込可能となり、差込刃２２はコンセント４の電源接地極の差込口４２に差込可能となるように設けられている。つまり、両差込刃２１，２２は２極のコンセントに対応可能であるから、以下では２極用プラグ部２と呼ぶ。また、差込刃３１は断面略Ｕ字形であってコンセント４の接地極の差込口４３に差込可能となるように設けられているから、以下では接地用プラグ部３と呼ぶ。器体１の長手方向の他端面には図７のように接地線接続部としてのジャック５が設けられており、このジャック５には、一端部にプローブ５１を設けた接地線５０の他端部に接続されている端子ピン５２が着脱自在に挿入される。ジャック５は器体１の内部で差込刃３１に電気的に接続され、コンセント４に設けた接地端子４４に接地線５０を介して接続可能になっている。
【００１１】
器体１の中には図１に示す回路が収納されている。図１における各端子Ｌ，Ｎ，Ｅはそれぞれ差込刃２１，２２，３１に接続される。つまり、端子Ｌは電源電圧極に接続可能であり、端子Ｎは電源接地極に接続可能であり、端子Ｅは接地極に接続可能になっている。端子Ｌと端子ＮとにはそれぞれヒューズＦ１，Ｆ２の一端が接続され、ヒューズＦ１，Ｆ２の他端間にはサージアブソーバＺ１が接続される。また、ヒューズＦ２の他端と端子Ｅとの間にもサージアブソーバＺ２が接続される。ここで、図１における丸付きの符号ａ，ｂ，ｃ，ｄは互いに接続されることを意味している。なお、ヒューズＦ１，Ｆ２は回路保護の機能を有するものではあるが、溶断しなければ電気回路に影響を与えるものではないから、以下ではとくに必要のない限り、ヒューズＦ１，Ｆ２を無視して説明する。
【００１２】
しかして、端子Ｌ，Ｎ間には、ダイオードＤ１とｐｎｐ形のトランジスタよりなるスイッチ素子Ｑ１とダイオードＤ２と２つの抵抗Ｒ４、Ｒ５との直列回路が接続され、スイッ
チ素子Ｑ１のベースには３個の抵抗Ｒ１〜Ｒ３と２個のツェナーダイオードＺＤ１，ＺＤ２との直列回路を介してタッチ電極６が接続される。タッチ電極６は図１０のように器体１の左側面に露出する。タッチ電極６は指先など人体の一部が接触可能となるように設けられており、タッチ電極６が人体を通して接地されたときに、端子Ｌに印加される電圧がツェナーダイオードＺＤ１，ＺＤ２により規定されている電圧を超えているとスイッチ素子Ｑ１が導通するのである。また、抵抗Ｒ１〜Ｒ３は人体に流れる電流を制限して感電を防止するものである。ここに、複数本の抵抗Ｒ１〜Ｒ３の直列回路を用いているから、いずれかの抵抗Ｒ１〜Ｒ３が短絡したとしても残りの抵抗は端子Ｌとタッチ電極６との間に挿入されており感電が防止される。端子Ｌ，Ｎ間にはダイオードＤ１を介して、抵抗Ｒ６と極性表示部としての発光ダイオードＬＥＤ１とｎｐｎ形のトランジスタよりなるスイッチ素子Ｑ２との直列回路も接続されており、スイッチ素子Ｑ２のベースは抵抗Ｒ４，Ｒ５の接続点に接続されている。
【００１３】
上述した構成では、スイッチ素子Ｑ１が導通すればスイッチ素子Ｑ２が導通して発光ダイオードＬＥＤ１が点灯する。つまり、タッチ電極６に人体が接触している状態で端子Ｌに電源電圧極が接続されたときに、端子Ｌとタッチ電極６との電位差がツェナーダイオードＺＤ１，ＺＤ２のブレークオーバ電圧を越えるように設定されており、このときスイッチ素子Ｑ１が導通する。その結果、スイッチ素子Ｑ２も導通し、極性表示部である発光ダイオードＬＥＤ１が点灯するのである。逆に言えば、発光ダイオードＬＥＤ１が点灯すれば、端子Ｌがコンセント４の電源電圧極に接続されたことを確認することができる。
【００１４】
ところで、端子Ｌ，Ｅ間にはダイオードＤ１を介して検出用インピーダンス要素としての３個の抵抗Ｒ７，Ｒ８，Ｒ９の直列回路も接続される。抵抗Ｒ８，Ｒ９の接続点はダイオードＤ３と２個の抵抗Ｒ１０，Ｒ１１との直列回路を介して端子Ｎに接続され、抵抗Ｒ１１にはツェナーダイオードＺＤ３が並列接続される。さらに、両抵抗Ｒ１０，Ｒ１１の接続点はｎｐｎ形のトランジスタよりなるスイッチ素子Ｑ３のベースが接続される。ツェナーダイオードＺＤ３は基準電圧を与えるものであり、抵抗Ｒ１１の両端電圧がツェナーダイオードＺＤ３のブレークオーバ電圧に達するとスイッチ素子Ｑ３がオンになる。つまり、スイッチ素子Ｑ３とツェナーダイオードＺＤ３により判定回路が形成されている。このスイッチ素子Ｑ３のコレクタ・エミッタには抵抗Ｒ１２とコンデンサＣ１との直列回路と抵抗Ｒ１４とが並列に接続される。また、抵抗Ｒ１４には抵抗Ｒ１３が直列接続され、抵抗Ｒ１３，Ｒ１４の直列回路はダイオードＤ１を介して端子Ｌ，Ｎ間に接続される。抵抗Ｒ１３，Ｒ１４の直列回路には抵抗Ｒ１５と接地表示部としての発光ダイオードＬＥＤ２とｎｐｎ形のトランジスタよりなるスイッチ素子Ｑ４との直列回路が並列接続され、抵抗Ｒ１３，Ｒ１４の接続点とスイッチ素子Ｑ４のベースとの間に抵抗Ｒ１６が挿入される。
【００１５】
ここで、抵抗Ｒ７，Ｒ８，Ｒ１０，Ｒ１１は端子Ｅが接地されていない状態では抵抗Ｒ１１の両端電圧がツェナーダイオードＺＤ３のブレークオーバ電圧に達するように設定されており、この状態ではスイッチ素子Ｑ３が導通する。スイッチ素子Ｑ３が導通すれば、コンデンサＣ１は放電されるから、スイッチ素子Ｑ４が非導通になり、結果的に発光ダイオードＬＥＤ２は消灯する。一方、端子Ｌ，Ｅ間には抵抗Ｒ７，Ｒ８，Ｒ９の直列回路が挿入されているから、端子Ｅと大地との間のインピーダンスが小さくなると抵抗Ｒ１１の両端電圧はツェナーダイオードＺＤ３のブレークオーバ電圧よりも低くなる。抵抗Ｒ１１の両端電圧がツェナーダイオードＺＤ３のブレークオーバ電圧よりも下がるときの上記インピーダンスは５００Ωに設定されている。この値は電気設備技術基準や内線規定により漏電遮断器を用いる場合の第３種接地抵抗として規定されている値である。しかして、端子Ｅが接地されると、スイッチ素子Ｑ３がオフになり、コンデンサＣ１が抵抗Ｒ１２を通して充電されるから、コンデンサＣ１や抵抗Ｒ１２，Ｒ１３などにより決まる時間が経過した時点でスイッチ素子Ｑ４がオンになる。要するに、スイッチ素子Ｑ３のコレクタ電圧は、図２に示すように、上記インピーダンスが５００Ω以下であるとＨレベルであり、上記インピーダンスが５００Ω以上になるとＬレベルになるのである。その結果、上記インピーダンスが５００Ω以下であると発光ダイオードＬＥＤ２が点灯する。このように、発
光ダイオードＬＥＤ２が点灯すれば、端子Ｅが接地されていることを知ることができるのであって、端子Ｅをコンセント４の差込口４３に対応した接地極に接続したりコンセント４の接地端子４４に接続したときに、接地極や接地端子４４が確実に接地されているときには発光ダイオードＬＥＤ２が点灯し、配線系が正しく接続されていることを確認することができる。
【００１６】
端子Ｌ，Ｎ間にはダイオードブリッジよりなる整流器ＤＢ１を介して抵抗Ｒ１７，Ｒ１８の直列回路が接続され、整流器ＤＢ１の出力電圧は抵抗Ｒ１７，Ｒ１８により分圧される。さらに、抵抗Ｒ１８の両端電圧はコンデンサＣ２により平滑され、抵抗Ｒ２１を介し演算増幅器を用いた２つのコンパレータＣＰ１，ＣＰ２の非反転入力端子に印加される。抵抗Ｒ１７，Ｒ１８の直列回路の両端電圧は抵抗Ｒ１９，Ｒ２０の並列回路を通してコンデンサＣ３により平滑され、コンデンサＣ３の両端電圧は、ツェナーダイオードＺＤ４とダイオードＤ４との直列回路により定電圧化されるとともに、３個の抵抗Ｒ２２，Ｒ２３，Ｒ２４の直列回路により分圧され、各コンパレータＣＰ１，ＣＰ２の反転入力端子に基準電圧を印加する。各コンパレータＣＰ１，ＣＰ２の出力端と非反転入力端子との間にはそれぞれ抵抗Ｒ２５，Ｒ２６が接続され、これらの抵抗Ｒ２５，Ｒ２６によりコンパレータＣＰ１，ＣＰ２にヒステリシスが付与されている。両コンパレータＣＰ１，ＣＰ２は端子Ｌ，Ｎ間に印加される電圧の実効値が１００Ｖか２００Ｖかを識別するために設けられており、たとえばコンパレータＣＰ１は端子Ｌ，Ｎ間の電圧が９０Ｖ以上で出力をＨレベルにし、コンパレータＣＰ２は端子Ｌ，Ｎ間の電圧が１１３Ｖ以上で出力をＨレベルにする。両コンパレータＣＰ１，ＣＰ２の出力端間には抵抗Ｒ２７と発光ダイオードＬＥＤ３との直列回路が接続され、コンパレータＣＰ２の出力端と整流器ＤＢ１の負極との間には抵抗Ｒ２８と発光ダイオードＬＥＤ４との直列回路が接続される。
【００１７】
したがって、端子Ｌ，Ｎ間の電圧が１００ＶであるとコンパレータＣＰ１の出力はＨレベルであってコンパレータＣＰ２の出力がＬレベルになるから図３に示すように発光ダイオードＬＥＤ３のみが点灯し、端子Ｌ，Ｎ間の電圧が２００Ｖであると両コンパレータＣＰ１，ＣＰ２の出力がともにＨレベルになるから発光ダイオードＬＥＤ４のみが点灯する。このように、端子Ｌ，Ｎに印加される電圧に応じて両発光ダイオードＬＥＤ３，ＬＥＤ４が択一的に点灯するから、両方が同時に点灯する場合に比較すると消費電力が少なくなる。仮に、端子Ｌ，Ｎ間の電圧が１００Ｖのときに１つの発光ダイオードが点灯し、２００Ｖのときに２つの発光ダイオードが点灯する構成を採用したとすると、１００Ｖのときに消灯している発光ダイオードが破損して点灯しなくなったときに、２００Ｖが印加されているにもかかわらず１００Ｖと誤認する可能性があるが、上記構成を採用することによって、端子Ｌ，Ｎ間の電圧に応じて２つの発光ダイオードＬＥＤ３，ＬＥＤ４が択一的に発光するから、この種の誤認が生じないのである。さらに、各コンパレータＣＰ１，ＣＰ２は抵抗Ｒ２５，Ｒ２６によってヒステリシスが付与されているから、出力がＨレベルになるとその状態が保持され、電圧変動による発光ダイオードＬＥＤ３，ＬＥＤ４のちらつきが防止される。
【００１８】
上述したように、本装置を用いることによって、コンセント４の差込口４１，４２の極性、差込口４３あるいは接地端子４４の接地状態、電源電圧極と電源接地極との間の電圧が、それぞれ発光ダイオードＬＥＤ１，ＬＥＤ２，ＬＥＤ３，ＬＥＤ４の点灯状態により識別できる。
【００１９】
ところで、本装置には擬似的に漏電を発生させる疑似漏電回路が付加されている。疑似漏電回路は、端子Ｌ，Ｅ間に接続されたダイオードブリッジよりなる整流器ＤＢ２を備え、整流器ＤＢ２の出力端間にはインピーダンス要素としての抵抗Ｒ２９を介してスイッチ要素としてのサイリスタＳＣＲとダイオードＤ５との直列回路が接続される。整流器ＤＢ２の入力端間にはサージアブソーバＺ３が接続され、またサイリスタＳＣＲとダイオードＤ５との直列回路には抵抗Ｒ３０とコンデンサＣ４との直列回路よりなるスナバ回路が並列接続される。このサイリスタＳＣＲは機械接点を有するスイッチＳＷがオンになったときに規定の導通時間だけオンになるようにワンショット回路を介して制御される。
【００２０】
また、疑似漏電回路は、端子Ｌ，Ｎ間に接続されたダイオードブリッジよりなる整流器
ＤＢ３と、整流器ＤＢ３の出力を平滑する抵抗Ｒ３４およびコンデンサＣ７と、コンデンサＣ７の両端電圧を定電圧化するツェナーダイオードＺＤ５とからなる制御電源を備える。制御電源の出力はスイッチＳＷを介してワンショット回路に接続されている。ワンショット回路は、ｐｎｐ形のトランジスタよりなるスイッチ素子Ｑ５を備え、スイッチ素子Ｑ５のコレクタに抵抗Ｒ３１を介してサイリスタＳＣＲのゲートが接続される。また、サイリスタＳＣＲのゲートとダイオードＤ５のカソードとの間にはコンデンサＣ５が接続され、抵抗Ｒ３１とコンデンサＣ５とによりサイリスタＳＣＲへのゲート信号の雑音を除去している。さらに、制御電源の出力端間にはスイッチＳＷを介して抵抗Ｒ３５が接続されるとともに、抵抗Ｒ３５には抵抗Ｒ３３とコンデンサＣ６との直列回路が並列接続される。スイッチ素子Ｑ５のベースは抵抗Ｒ３３とコンデンサＣ６との接続点に接続されており、コンデンサＣ６の端子電圧が引き下げられると導通するようになっている。
【００２１】
したがって、図４（ａ）のようにスイッチＳＷがオンになると、図４（ｂ）のように抵抗Ｒ３５の両端電圧が立ち上がり、図４（ｃ）のように抵抗Ｒ３３を介してコンデンサＣ６が充電され、コンデンサＣ６の両端電圧が時間経過に伴って立ち上がる。ここで、スイッチ素子Ｑ５は導通しているから、制御電源の出力がスイッチＳＷおよびスイッチ素子Ｑ５を通して図４（ｅ）のようにサイリスタＳＣＲのゲートに与えられサイリスタＳＣＲが導通する。その後、コンデンサＣ６の充電に伴って図４（ｄ）のようにスイッチ素子Ｑ５のベース・エミッタ電圧が低下するから、スイッチ素子Ｑ５の導通状態が維持できなくなる程度Ｖｆまでベース・エミッタ電圧が低下すると、上述した導通時間が終了してスイッチ素子Ｑ５がオフになり、商用電源のゼロクロス点でサイリスタＳＣＲがオフになる。つまり、スイッチＳＷのオンと同時にサイリスタＳＣＲがオンになり、抵抗Ｒ３３，Ｒ３５およびコンデンサＣ６により規定される導通時間が経過するとサイリスタＳＣＲがオフになるのである。スイッチＳＷがオフになるとコンデンサＣ６は抵抗Ｒ３３，Ｒ３５を通して放電されるから、スイッチ素子Ｑ５をオンにすることができる程度にコンデンサＣ６の両端電圧が下がった時点でスイッチＳＷをオンにすれば、サイリスタＳＣＲを再びオンにすることができる。ただし、この場合の導通時間はコンデンサＣ６に残留している電荷量に応じて変化し、スイッチＳＷをオフにしてから次にオンにするまでの時間間隔がコンデンサＣ６の残留電荷がほぼ０になるまでの休止期間よりも短いときには、導通時間も短くなる。
【００２２】
すなわち、図５の左半分に示すように、スイッチＳＷをオンにし続けても（図５（ａ）参照）、図５（ｂ）のようにサイリスタＳＣＲがオンになる時間はほぼ一定の導通時間ｔ１になる。一方、図５の右半分に示すように、スイッチＳＷを比較的短時間でオンオフさせるときには（図５（ａ）参照）、コンデンサＣ６の端子電圧が十分に下がり切っていないから、コンデンサＣ６の端子電圧が短時間で上昇してスイッチ素子Ｑ５をオフにする。その結果、図５（ｂ）のようにサイリスタＳＣＲがオンになる導通時間ｔｘが短くなる。このような動作によって、疑似的に漏電状態を発生させたときに端子Ｌ，Ｅ間で流れる電流による内部回路の過熱を防止することができる。
【００２３】
上述したように、電源電圧極と電源接地極とに対応する端子Ｌ，ＮはヒューズＦ１，Ｆ２を介して内部回路に接続されており、端子Ｅにはヒューズを設けていない。したがって、電源電圧極および電源接地極に対応する端子Ｌ，ＮにヒューズＦ１，Ｆ２を介して内部回路が接続されるから、たとえば誤結線によって端子Ｌ，Ｎ間、端子Ｌ，Ｅ間、端子Ｎ，Ｅ間のいずれかに２００Ｖが印加されていて、差込刃２１，２２をコンセント４の差込口４１，４２に挿入したときに過電流が流れたとしても、ヒューズＦ１，Ｆ２の溶断によって内部回路が保護される。また、ヒューズＦ１，Ｆ２のいずれかが溶断すれば、コンセント４の差込口４１，４２に対する差込刃２１，２２の極性にかかわらず、タッチ電極６に触れても極性表示部としての発光ダイオードＬＥＤ１は点灯しないから、このことによってヒューズＦ１，Ｆ２の溶断を知ることができる。ここで、端子Ｅにもヒューズを設けたとすると、このヒューズが溶断したことを検出する手段がないから、コンセント４側での誤配線かコンセントチェッカの故障かを知ることができない。また、スイッチＳＷをオンにしても、擬似的に漏電を生じさせることができず、漏電遮断器が動作しないから、この
場合も漏電遮断器の故障かコンセントチェッカの故障かを知ることができない。したがって、端子Ｅにはヒューズを設けないことによって、この種の問題が生じるのを回避しているのである。
【００２４】
ところで、上述した回路部は、図８に示すように、器体１に収納される印刷配線基板よりなる大小２枚の回路基板６１，６２に分割して実装される。各発光ダイオードＬＥＤ１，ＬＥＤ２，ＬＥＤ３，ＬＥＤ４は大きいほうの回路基板６１に実装され、疑似漏電回路は小さいほうの回路基板６２に実装される。ただし、スイッチＳＷは回路基板６１に取り付けられ、接続線６３を介して疑似漏電回路に接続される。
【００２５】
器体１は厚み方向において２分されたボディ１１とケース１２とを結合して形成されており、幅方向の一方の側面には切欠窓１３が形成され、他方の側面には露出窓１４が形成される。切欠窓１３からは器体１の長手方向に移動可能なスライドハンドル１５の操作凸部１５ａが露出する。
【００２６】
スライドハンドル１５は、図９のように矩形板状であって、器体１の内側で器体１の周壁と略平行に形成されたガイドリブ１ａと器体１の周壁との間で周部が保持され、器体１の長手方向に移動自在になっている。また、スライドハンドル１５には器体１の内側に突出する押片１５ｂが設けられ、スライドハンドル１５をスライドさせると、押片１５ｂによってスイッチＳＷが押操作されるようになっている。すなわち、スイッチＳＷにはモメンタリ型の押釦スイッチ（つまり、押操作中のみオンになるスイッチ）を用いており、スライドハンドル１５の押片１５ｂはスイッチＳＷの押釦１５ｃを押すことができる位置に設けられる。スライドハンドル１５の一部にはばね受け片１５ｄが突設され、ばね受け片１５ｄはコイルばねよりなる復帰ばね１６の一端部を受けるばね座として機能する。また、ボディ１１の底壁内側面には復帰ばね１６を収納するように形成されたばね保持リブ１１ａが突設され、ばね保持リブ１１ａとばね受け片１５ｄとの間で復帰ばね１６が保持されることになる。復帰ばね１６は、スライドハンドル１５の押片１５ｂをスイッチＳＷの押釦１５ｃから引き離す向きに付勢しており、スライドハンドル１５に操作力を作用させていない状態では、スイッチＳＷはオフに保たれるようになっている。
【００２７】
一方、露出窓１４には導電性を有する板状体（通常は金属板）により形成されたタッチ電極６が露出する。タッチ電極６は器体１の周壁に形成した保持溝１ｂに周部が保持されることによって器体１に固定される。さらに、器体１の長手方向の一端部にはジャック５が取り付けられている。このようにタッチ電極６をスライドハンドル１５の反対面側に設けていることによって、スライドハンドル１５の操作とタッチ電極６に触れることとを片手で行うことができ、操作性がよいものである。とくに、スライドハンドル１５は右側面に位置するから右利きであるときには親指で操作することができ、この点でも操作が容易である。
【００２８】
ところで、器体１の長手方向の他端部（手で持ったときの前端部）には２極用プラグ部２と接地用プラグ部３とが設けられる。２極用プラグ部２は、回路基板６１に実装され平行に配置された一対の支持板２３を備え、両支持板２３の対向面にそれぞれ差込刃２１，２２が回動自在に軸着される。ここに、差込刃２１，２２はそれぞれ上述した回路部における端子Ｌ，Ｎに対応する。回路基板６１において２極用プラグ部２に対応する部位には前端縁が開放された切欠溝６１ａが形成されており、切欠溝６１ａの内側縁の前端部には２個の固定用突起６１ｂが突設されている。両支持板２３は、互いに離れる向きに突出したＬ字状の接続片２３ａを備えるとともに、固定用突起６１ｂに嵌合する固定孔２３ｂを備え、図８における回路基板６１の下側から接続片２３ａを回路基板６１に挿入するとともに固定用突起６１ｂに固定孔２３ｂを嵌合させることによって、回路基板６１に対して強固に固定された形で実装される。
【００２９】
両支持板２３間には合成樹脂のような絶縁材料よりなる可動体２４が挟装され、可動体２４の両側面に設けた取付溝２４ａに各差込刃２１，２２の一部が嵌入することによって差込刃２１，２２と可動体２４とが一体に回動可能になっている。つまり、両差込刃２１，２２は可動体２４に対する位置関係を保ったままで支持板２３に対して回動可能になっている。カバー１２の図８における前端部には可動体２４が収納される収納溝１２ａが形
成され、収納溝１２ａの後方にはカバー１２の上面に開放された収納凹所１２ｂが形成されている。収納溝１２ａと収納凹所１２ｂとの間には隔壁１２ｃが形成され、隔壁１２ｃの両端部には差込刃２１，２２を挿入可能な挿入溝１２ｄが形成されている。
【００３０】
しかして、差込刃２１，２２は図１０（ａ）のように器体１の前面から突出する位置と図１０（ｂ）のように収納凹所１２ｂに収納されて前面から後退する位置との間で回動可能になる。差込刃２１，２２が収納凹所１２ｂに収納された状態では、各差込刃２１，２２は挿入溝１２ｄに挿入されるから、両差込刃２１，２２の間に隔壁１２ｃが介在することになり、差込刃２１，２２を近付ける向きに外力が作用しても差込刃２１，２２が隔壁１２ｃに当接して差込刃２１，２２の変形が防止される。さらに、収納凹所１２ｂの左右幅は差込刃２１，２２の間隔よりも大きく形成されており、図１１に示すように、差込刃２１，２２を指先で摘んで回動させることが可能になっている。このとき、両差込刃２１，２２を互いに近付ける向きに外力が作用することになるが、上述のように隔壁１２ｃが存在することによって差込刃２１，２２の変形が防止される。
【００３１】
一方、接地用プラグ部３は、回路基板６１に形成された切欠溝６１ａにおいて固定用突起６１ｂよりも後方に設けた一対の接続突片６１ｃに跨る形で実装される受けばね３２を備える。ここに、受けばね３２は上述した回路部における端子Ｅに相当する。受けばね３２は後端部に左右に突出する接続片３２ａを有し、前端部には図８の下向きに開放されたコ字状の刃受部３２ｂを有する。差込刃３１はボディ１１に対して軸ピン３３によって軸着されており、図１２、図１３のようにボディ１１の下面に設けた切溝１１ｂを通して器体１の前方に突出する位置と、ボディ１１の下面に設けた収納凹所１１ｃに収納される位置との間で回動可能になっている（図１４に両位置の中間の状態を示している）。つまり、差込刃３１は器体１の前面から突出する位置と器体１の前面から後退する位置との間で回動可能になっている。図１５に示すように、受けばね３２の刃受部３２ｂは切溝１１ｂ内に露出しており、差込刃３１が器体１の前面から突出する位置では、差込刃３１が刃受部３２ｂに挿入されることによって、受けばね３２と差込刃３１とが電気的に接続される。逆に言えば、差込刃３１は器体１の前面から突出させるまでは受けばね３２に接続されないから、差込刃３１が収納凹所１１ｃに収納されている状態でスイッチＳＷをオンにしたときに差込刃３１に指が触れたとしても感電することがない。差込刃３１を収納する収納凹所１１ｃも指先を入れて差込刃３１を引き出すことが可能な程度の幅寸法に形成されている。カバー１２に設けた収納溝１２ａの下面は絶縁板１７により閉塞され、この絶縁板１７により受けばね３２と支持板２３との絶縁距離も確保される。
【００３２】
上述のように、差込刃２１，２２を備える２極用プラグ部２と差込刃３１を備える接地用プラグ部３とは、器体１の表裏の異なる面に設けた収納凹所１２ｂ，１１ｃに収納されるから、各別に器体１から出し入れさせることができ、たとえばコンセント４に２つの差込口４１、４２のみが設けられている場合には２極用プラグ部２の差込刃２１，２２のみを器体１から突出させて使用することができ、コンセント４が接地極となる差込口４３を備えていて３個の差込口４１，４２，４３を有するときには、接地用プラグ部３も器体１から突出させて使用することができる。さらに、コンセント４に接地端子４４が設けられている場合には、接地線５０を用いて接地端子４４と接続することも可能になっている。要するに各種形態のコンセント４に対応可能になっている。また、非使用時には差込刃４１，４２，４３が器体１から突出しないから、梱包や形態が容易になるとともに、外観上の見映えもよいものとなる。
【００３３】
ところで、コンセント４に設けた差込口４１，４２の長手方向の寸法を異ならせる場合に、電源接地極を電源電圧極よりも大きくするのが一般的である。そこで、差込刃２２の幅寸法を差込刃２１の幅寸法よりも大きく設定してあり、この構成によってコンセント４の差込口４１、４２に差込刃２１，２２を差し込む際に、逆極性で接続されるのを防止することができる。
【００３４】
なお、上述の例では、端子Ｅが接地されているか否かを抵抗Ｒ７、Ｒ８、Ｒ９により分圧した電圧に基づいて判断しているが、図１６のように、一端が端子Ｅに接続された抵抗Ｒ０に電流源Ｉｓから定電流を流すようにし、端子Ｅが接地されたときの抵抗Ｒ０の端子
電圧の変化を、判定回路としての電圧検出回路ＤＶで検出することにより、発光ダイオードＬＥＤ２を点灯させる構成としてもよい。
【００３５】
【発明の効果】
請求項１の発明は、コンセントに設けた電源電圧極と電源接地極との差込口にそれぞれ挿入可能な２本の差込刃を備えるプラグ部と、コンセントに設けた接地端子に電気的に接続可能な接地線接続部と、人体の一部を接触可能に設けたタッチ電極と、タッチ電極に人体が接触したときに電源電圧極に対応する差込刃がコンセントの電源電圧極に接続されているとこれを表示する極性表示部と、接地線接続部が接地されているとこれを表示する接地表示部と、電源電圧極に対応する差込刃と接地線接続部との間に接続されるインピーダンス要素とスイッチ要素との直列回路を有し操作部の操作によりスイッチ要素のオンオフが可能な疑似漏電回路とを器体に備え、操作部は機械接点を有したスイッチを操作する操作部であって、疑似漏電回路は、スイッチがオンになるとスイッチ要素を規定した導通時間だけオンにするとともにスイッチのオフから次のオンまでの時間間隔が規定した休止時間よりも短いときには導通時間を短縮するワンショット回路を備えるものであり、コンセントの差込口にプラグ部の差込刃を差し込むとともにタッチ電極に触れると、コンセントが配線系に正しく接続されているときには極性表示部により表示されるから、コンセントの差込口と配線系との極性が正しく接続されているか否かを知ることができる。また、接地端子に電気的に接続される接地線接続部を備えるとともに、接地線接続部が接地されているときには接地表示部により表示されるから、接地端子が確実に接地されているか否かを知ることができる。さらに、疑似漏電回路を設けてあり、操作部を操作するとスイッチ要素がオンになって電源電圧極と接地線接続部との間がインピーダンス要素を介して接続されるから、配線系に擬似的に漏電を発生させることができ、漏電遮断器の動作テストが可能になる。要するに、１つの装置を用いてコンセントの差込口の極性の検査および接地端子が確実に接地されているか否かの検査が行えるとともに漏電遮断器の動作テストも可能になるのであって、同じ場所で３種類の検査が可能になり電気工事後の検査作業の作業性が向上するという効果を奏する。さらに、操作部を操作し続けても規定の導通時間だけスイッチ要素がオンになるから、擬似的な漏電状態が継続することによる内部回路（とくに電源電圧極の差込刃と接地線接続部との間の回路）の過熱を防止することができるという利点がある。しかも、操作部を操作する時間間隔が短かくなると導通時間も短くなるから、このことによっても内部回路の過熱を防止することができる。
【００３６】
請求項２の発明は、請求項１の発明において、スイッチ要素がオフになる側に操作部を付勢する復帰ばねを設けたものであり、操作部を操作しなければスイッチ要素はオフに保たれるから、スイッチ要素がオンのままでプラグ部をコンセントに差し込む可能性が少なくなり、プラグ部をコンセントに差し込み接地線接続部に触れたとしても、スイッチ要素がオフであるから感電する可能性が少ないという利点を有する。
【００３７】
請求項３の発明は、請求項１または請求項２の発明において、両差込刃と極性表示部および接地表示部との間にヒューズが設けられているものであり、ヒューズが設けられていることによって内部回路が保護されるのはもちろんのこと、ヒューズが溶断しているときにはプラグ部の差込刃の極性を入れ替えてタッチ電極に触れても極性表示部による表示が行われないからヒューズの溶断を知ることができる。つまり、接地線接続部に対応してヒューズを設けたとすると、ヒューズが溶断したときに操作部を操作しても疑似的に漏電を発生させることができず漏電遮断器が動作しないから、漏電遮断器の故障と誤認することになるのであるが、プラグ部に対応してヒューズを設けていることによりヒューズの断線を知ることができるから、この種の誤認が低減するという利点がある。。
【００３８】
請求項４の発明は、請求項１ないし請求項３の発明において、電源電圧極に対応する差込刃と接地線接続部との間に挿入された検出用インピーダンス要素と、電源電圧極に対応する差込刃がコンセントの電源電圧極に接続されている状態で検出用インピーダンス要素の両端電圧に基づいて接地線接続部と大地との間のインピーダンスが５００Ω以下であることを検出すると接地表示部による表示を行う判定回路とを備えるものであり、コンセントの接地端子が接地されていないときには接地表示部による表示が行われず、接地端子が
確実に接地されているか否かを知ることができるという利点がある。しかも、接地線接続部と大地との間のインピーダンスが５００Ω以下のときに接地表示部による表示を行うから、電気設備技術基準や内線規定で漏電遮断器を取り付けた場合として規定されている第３種接地抵抗の値を満たすことができる。
【００３９】
請求項５の発明は、請求項４の発明において、検出用インピーダンス要素が、複数個の抵抗の直列回路であって、判定回路がいずれか２個の抵抗の接続点の電位を基準電圧と比較するように構成されているものであり、検出用インピーダンス要素を構成する抵抗のうちのいずれかが短絡したとしても、電源電圧極に対応する差込刃と接地線接続部との間には残りの抵抗が挿入されているから、電源電圧極の差込刃と接地線接続部との間を通過する電流が過大になることがなく、安全性を確保することができるという利点がある。
【図面の簡単な説明】
【図１】本発明の実施の形態を示す回路図である。
【図２】同上の動作説明図である。
【図３】同上の動作説明図である。
【図４】同上の動作説明図である。
【図５】同上の動作説明図である。
【図６】同上の前方から見た外観斜視図である。
【図７】同上の後方から見た外観斜視図である。
【図８】同上の分解斜視図である。
【図９】同上の要部分解斜視図である。
【図１０】（ａ）は同上の差込刃を突出させた状態の斜視図、（ｂ）は同上の差込刃を後退させた状態の斜視図である。
【図１１】同上の上面側の斜視図である。
【図１２】同上の下面側の斜視図である。
【図１３】同上の要部断面図である。
【図１４】同上の要部断面図である。
【図１５】同上の要部正面図である。
【図１６】同上の別の構成例を示す要部回路図である。
【符号の説明】
１  器体
２  ２極用プラグ部
３  接地用プラグ部
４  コンセント
５  ジャック（接地線接続部）
６  タッチ電極
１５  スライドハンドル（操作部）
１６  復帰ばね
２１，２２  差込刃
４１，４２  差込口
４４  接地端子
Ｆ１，Ｆ２  ヒューズ
ＬＥＤ１  発光ダイオード（極性表示部）
ＬＥＤ２  発光ダイオード（接地表示部）
Ｒ７，Ｒ８，Ｒ９抵抗  （検出用インピーダンス要素）
Ｒ２９  抵抗（インピーダンス要素）
ＳＣＲ  サイリスタ（スイッチ要素）
ＳＷ  スイッチ
【図１】
0003603627.tif 000002
【図２】
0003603627.tif 000003
【図３】
0003603627.tif 000004
【図４】
0003603627.tif 000005
【図５】
0003603627.tif 000006
【図６】
0003603627.tif 000007
【図７】
0003603627.tif 000008
【図８】
0003603627.tif 000009
【図９】
0003603627.tif 000010
【図１０】
0003603627.tif 000011
【図１１】
0003603627.tif 000012
【図１２】
0003603627.tif 000013
【図１３】
0003603627.tif 000014
【図１４】
0003603627.tif 000015
【図１５】
0003603627.tif 000016
【図１６】
0003603627.tif 000017